(57)【特許請求の範囲】
【請求項１】
複数の無線基地局と接続可能な無線移動端末であって、
各無線基地局との通信品質を、前記無線基地局の識別情報ごとに対応付けた品質テーブルを記憶する品質記憶手段と、
接続先の無線基地局を切り替える際に、前記品質記憶手段内の品質テーブルに基づいて、切り替え後の接続先となる切替無線基地局を選択する選択無線基地局を決定し、該選択無線基地局に前記品質テーブルと接続要求とを送信する処理手段と、
前記処理手段が送信した品質テーブルに応じて前記選択無線基地局にて選択された切替無線基地局の識別情報と、前記処理手段が送信した接続要求を拒否する拒否情報とを受信した場合、該識別情報にて特定される切替無線基地局に、前記接続要求を送信し、前記処理手段が送信した接続要求を承認する旨の承認情報を受信した場合、前記選択無線基地局と接続する接続手段と、を含む無線移動端末。
【請求項２】
複数の無線基地局と接続可能な無線移動端末であって、
各無線基地局との通信品質を、前記無線基地局の識別情報ごとに対応付けた品質テーブルを記憶する品質記憶手段と、
接続先の無線基地局を切り替える際に、前記品質記憶手段内の品質テーブルに基づいて、切り替え後の接続先となる切替無線基地局を選択する選択無線基地局を決定し、該選択無線基地局に前記品質テーブルを送信する処理手段と、
前記処理手段が送信した品質テーブルに応じて前記選択無線基地局にて選択された切替無線基地局の識別情報を受信した場合、該識別情報にて特定される切替無線基地局に、接続要求と、前記品質テーブルとを送信し、該品質テーブルに応じて前記切替無線基地局にて選択された新たな切替無線基地局の識別情報と、該接続要求を拒否する拒否情報とを受信した場合、前記新たな切替無線基地局に前記接続要求を送信し、一方、前記切替無線基地局に送信した接続要求を承認する旨の承認情報を前記切替無線基地局から受信した場合、前記切替無線基地局と接続する接続手段と、を含む無線移動端末。
【請求項３】
請求項１または２に記載の無線移動端末において、
前記処理手段は、前記品質テーブルの中で、最も高い通信品質と対応付けられた識別情報にて特定される無線基地局を、前記選択無線基地局として決定する、無線移動端末。
【請求項４】
複数の無線基地局のそれぞれとの通信品質を前記無線基地局の識別情報ごとに対応付けた品質テーブルを記憶する品質記憶手段を含み、各無線基地局と接続可能な無線移動端末による接続切り替え方法であって、
接続先の無線基地局を切り替える際に、前記品質記憶手段内の品質テーブルに基づいて、切り替え後の接続先となる切替無線基地局を選択する選択無線基地局を決定し、該選択無線基地局に前記品質テーブルと接続要求とを送信し、
前記送信された品質テーブルに応じて前記選択無線基地局にて選択された切替無線基地局の識別情報と、前記送信された接続要求を拒否する拒否情報とを受信した場合、該識別情報にて特定される切替無線基地局に、前記接続要求を送信し、前記送信された接続要求を承認する旨の承認情報を受信した場合、前記選択無線基地局と接続する、接続切り替え方法。
【請求項５】
複数の無線基地局のそれぞれとの通信品質を前記無線基地局の識別情報ごとに対応付けた品質テーブルを記憶する品質記憶手段を含み、各無線基地局と接続可能な無線移動端末による接続切り替え方法であって、
接続先の無線基地局を切り替える際に、前記品質記憶手段内の品質テーブルに基づいて、切り替え後の接続先となる切替無線基地局を選択する選択無線基地局を決定し、該選択無線基地局に前記品質テーブルを送信し、
前記送信された品質テーブルに応じて前記選択無線基地局にて選択された切替無線基地局の識別情報を受信した場合、該識別情報にて特定される切替無線基地局に、接続要求と、前記品質テーブルとを送信し、該品質テーブルに応じて前記切替無線基地局にて選択された新たな切替無線基地局の識別情報と、該接続要求を拒否する拒否情報とを受信した場合、前記新たな切替無線基地局に前記接続要求を送信し、一方、前記切替無線基地局に送信した接続要求を承認する旨の承認情報を前記切替無線基地局から受信した場合、前記切替無線基地局と接続する、接続切り替え方法。
【請求項６】
請求項４または５に記載の接続切り替え方法において、
前記品質テーブルの中で、最も高い通信品質と対応付けられた識別情報にて特定される無線基地局を、前記選択無線基地局として決定する、接続切り替え方法。
【発明の詳細な説明】
【技術分野】
【０００１】
本発明は、接続先の無線基地局を切り替えることが可能な無線移動端末および接続先切り替え方法に関する。
【背景技術】
【０００２】
一般的に無線通信システムでは、無線移動端末は、無線基地局との電波通信品質が低下した場合、接続先の無線基地局を切り替える動作を行う。この接続先の無線基地局を切り替える処理は、ハンドオーバと呼ばれる。図６は、ハンドオーバを行う無線通信システムの動作を示したシーケンス図である。
【０００３】
無線移動端末２０５は、無線基地局２０２とデータ通信を行っている。このとき、無線移動端末２０５は、無線基地局２０２から受信した信号に基づいて、無線基地局２０２との電波通信品質を測定する。電波通信品質は、例えば、その受信した信号の受信レベル、および、その受信レベルとノイズレベルとの比率（以下、ＳＮ（Signal to Noise ratio）比と呼ぶ）などである。なお、電波通信品質を測定するための信号としては、報知情報、データフレーム、および、無線移動端末２０５が送信したデータフレームに対する応答確認パケットなどが使用される。
【０００４】
無線移動端末２０５は、電波通信品質が予め定められた閾値未満になると、ハンドオーバを開始する（ステップＡ）。
【０００５】
無線移動端末２０５は、周辺にある他の無線基地局を検索するための検索パケットを、無線上に同報通信を用いて送信する（ステップＢ）。その後、無線移動端末２０５は、周辺の無線基地局から検索応答パケットを受信する（ステップＣ）。
【０００６】
無線移動端末２０５は、検索応答パケットに基づいて、その検索応答パケットを送信した無線基地局との電波通信品質を求め、その電波通信品質を無線基地局ごとに対応付けたテーブルを記憶する。無線移動端末２０５は、そのテーブル内の電波通信品質を比較して、電波通信品質の良い無線基地局を選択する。そして、無線移動端末２０５は、その選択した無線基地局に接続切り替え要求を通知することで、その選択した無線基地局に接続先を切り替える。
【０００７】
この場合、接続先となる無線基地局は、無線移動端末２０５による電波通信品質の比較にて決定されていた。しかしながら、音声や動画像を扱うリアルタイム通信においては、無線移動端末２０５による電波通信品質の比較だけで接続先が切り替えられると、切り替え後の無線基地局において、通信を継続することができないことがある。例えば、切り替え後の無線基地局において輻輳が発生し、その無線基地局の使用帯域の使用量が高い場合などでは、通信を継続することができないことがある。そこで、以下のような処理が行われる。
【０００８】
つまり、無線移動端末２０５は、検索応答パケットを受信すると（ステップＣ）、電波通信品質を無線基地局ごとに対応付けたテーブルを検索結果情報として、通信中の無線基地局２０２に通知する（ステップＤ）。無線基地局２０２は、検索結果情報に含まれる無線基地局の使用帯域の状態を調べ、最も良い状態の使用帯域を有する無線基地局を接続候補情報として無線移動端末２０５に通知する（ステップＥ）。
【０００９】
無線移動端末２０５は、その通知された接続候補情報である無線基地局（以下、無線基地局２０３とする）に接続切り替え要求を通知する（ステップＦ）。無線基地局２０３は、接続切り替え要求を受信すると、接続切り替えの完了を無線移動端末２０５に通知して、ハンドオーバを完了する。これにより、無線移動端末２０５は、最も良い状態の使用帯域を有する無線基地局と接続することが可能になるため、切り替え後の無線基地局において、通信を継続することが可能になる。
【００１０】
このようなハンドオーバを行うことが可能な技術には、例えば、特許文献１に記載の移動通信端末装置がある。
【特許文献１】特開２００１−９５０２８号公報
【発明の開示】
【発明が解決しようとする課題】
【００１１】
上記のハンドオーバを行うことが可能な技術では、無線移動端末２０５は、検索結果情報を通信中の無線基地局２０２に送信し、その無線基地局２０２から接続候補情報を受信していた。
【００１２】
ここで、検索結果情報の送信は、電波通信品質が閾値未満になった場合に行われる。このため、無線移動端末２０５は、電波通信品質が低い無線基地局に検索結果情報を送信することになり、検索結果情報の送信から接続候補情報を受信までの間に通信が途切れてしまうことがあった。例えば、無線移動端末２０５が金属製のドアなどで遮断されている場合、そのドアの開閉によって電波通信品質が悪化し、通信が途切れてしまうことがあった。
【００１３】
したがって、上記のハンドオーバを行うことが可能な技術では、無線基地局の切り替えに失敗することが多いという問題を有していた。
【００１４】
本発明の目的は、上記の課題である、無線基地局の切り替えに失敗することが多いという問題を解決する、無線移動端末および接続先切り替え方法を提供することである。
【課題を解決するための手段】
【００１５】
本発明による無線移動端末は、複数の無線基地局と接続可能な無線移動端末であって、各無線基地局との通信品質を、前記無線基地局の識別情報ごとに対応付けた品質テーブルを記憶する品質記憶手段と、接続先の無線基地局を切り替える際に、前記品質記憶手段内の品質テーブルに基づいて、切り替え後の接続先となる切替無線基地局を選択する選択無線基地局を決定し、該選択無線基地局に前記品質テーブルを送信する処理手段と、前記処理手段が送信した品質テーブルに応じて前記選択無線基地局にて選択された切替無線基地局の識別情報を受信した場合、該識別情報にて特定される切替無線基地局に、接続要求を送信する接続手段と、を含む。
【００１６】
また、本発明による接続先切り替え方法は、複数の無線基地局のそれぞれとの通信品質を前記無線基地局の識別情報ごとに対応付けた品質テーブルを記憶する品質記憶手段を含み、各無線基地局と接続可能な無線移動端末による接続切り替え方法であって、接続先の無線基地局を切り替える際に、前記品質記憶手段内の品質テーブルに基づいて、切り替え後の接続先となる切替無線基地局を選択する選択無線基地局を決定し、該選択無線基地局に前記品質テーブルを送信し、前記送信された品質テーブルに応じて前記選択無線基地局にて選択された切替無線基地局の識別情報を受信した場合、該識別情報にて特定される切替無線基地局に、接続を切り替える旨の接続要求を送信する。
【発明の効果】
【００１７】
本発明によれば、無線基地局の切り替えに失敗することを少なくすることが可能になる。
【発明を実施するための最良の形態】
【００１８】
以下、本発明の実施形態について図面を参照して説明する。
【００１９】
図１は、本発明による第一の実施形態のマルチメディア無線通信システムを示したブロック図である。図１において、マルチメディア無線通信システムは、呼接続サーバ１０１と、無線基地局１０２ないし１０４と、無線移動端末１０５とを含む。なお、無線基地局の数は、図１では、３つだけだが、実際には複数であればよい。
【００２０】
呼接続サーバ１０１は、無線基地局１０２ないし１０４を配下に有する。呼接続サーバ１０１は、無線基地局１０２ないし１０４のそれぞれと有線ＬＡＮを介して相互に接続可能である。また、無線移動端末１０５は、無線基地局１０２ないし１０４のそれぞれと相互に無線通信にて接続可能である。さらに、無線移動端末１０５は、無線基地局１０２ないし１０４のいずれかを介して、呼接続サーバ１０１とインターネットプロトコル（ＩＰ）を用いて接続が可能である。
【００２１】
なお、本実施形態では、呼接続サーバ１０１および無線移動端末１０５間の通信は、音声通信であるとする。しかしながら、本通信は、音声通信に限らず、一般的なデータ通信にも適用できる。なお、本通信は、音声通信、動画像の通信および常時データ通信などのリアルタイム性が要求されるマルチメディア通信に適用されることが望ましい。
【００２２】
呼接続サーバ１０１は、無線基地局と無線移動端末１０５との間の通信に使用可能な使用帯域の使用量を、無線基地局を特定する識別情報ごとに対応付けた状態テーブルを記憶する。ここで、使用帯域の使用量は、無線基地局に接続されている無線移動端末の数や、無線基地局に接続されている無線移動端末とのトラフィックの総和などである。
【００２３】
図２は、無線基地局１０２ないし１０４の構成例を示したブロック図である。なお、無線基地局１０２ないし１０４のそれぞれは、同じ構成を有するものとする。
【００２４】
図２において、無線基地局１０２ないし１０４は、状態記憶部１と、状態管理部２と、基地局通信部３と、制御部４とを含む。
【００２５】
状態記憶部１は、自基地局を特定する識別情報を自識別情報として記憶する。
【００２６】
状態管理部２は、定期的に、呼接続サーバ１０１から状態テーブルを取得し、その状態テーブルを状態記憶部１に記憶する。また、状態管理部２は、自基地局と無線移動端末１０５との間の通信に使用可能な使用帯域の使用量を測定し、その使用量を自使用量として状態記憶部１に記憶する。さらに、状態管理部２は、定期的に、状態記憶部１内の自使用量および識別情報を呼接続サーバ１０１に通知して、呼接続サーバ１０１内の状態テーブルを更新する。
【００２７】
基地局通信部３は、無線移動端末１０５と音声通信を行う。
【００２８】
また、基地局通信部３は、無線移動端末１０５から、無線基地局を検索するための検索パケットと、接続先の無線基地局を切り替える旨の接続切り替え要求と、検索パケットによる検索結果を示す検索結果情報とを受信する。接続切り替え要求は、接続要求の一例である。
【００２９】
検索結果情報では、無線移動端末１０５と無線基地局との電波通信品質が識別情報ごとに対応付けられている。電波通信品質は、無線移動端末１０５が音声通信で無線基地局から受信した信号の受信レベル、および、その受信レベルとノイズレベルとの比率（ＳＮ比）などである。
【００３０】
制御部４は、基地局通信部３が検索パケットを受信すると、その検索パケットに対する応答パケットを無線移動端末１０５に通知する。応答パケットは、状態記憶部１内の自識別情報を含む。
【００３１】
また、制御部４は、基地局通信部３が接続切り替え要求および検索結果情報の組を受信すると、接続切り替え要求を拒否するか否かを判断する。例えば、制御部４は、状態記憶部１内の自使用量が予め定められた基準値以上か否を判断し、自使用量が基準値以上であると、接続切り替え要求を拒否し、自使用量が基準値未満であると、接続切り替え要求を承認する。
【００３２】
制御部４は、接続切り替え要求を拒否すると、基地局通信部３が受信した検索結果情報と、状態記憶部１内の状態テーブルとに基づいて、切り替え後の接続先の候補となる切替無線基地局を選択する。
【００３３】
例えば、先ず、制御部４は、状態テーブル内の使用帯域の使用量の中から、所定値未満の使用量を検索し、その所定値未満の使用量と対応付けられた識別情報を確認する。続いて、制御部４は、その確認した識別情報に対応付けられた電波通信品質を、検索結果情報から抽出する。そして、制御部４は、その抽出した電波通信品質の中で、最も高い電波通信品質に対応付けられた識別情報にて特定される無線基地局を、切替無線基地局に選択する。
【００３４】
制御部４は、切替無線基地局を選択すると、その切替無線基地局を特定する識別情報と、接続切り替え要求を拒否した旨の拒否コードと、を無線移動端末１０５に送信する。なお、制御部４は、その識別情報を接続候補情報として送信する。また、拒否コードは、拒否情報の一例である。
【００３５】
また、制御部４は、接続切り替え要求を承認した場合、および、基地局通信部３が接続切り替え要求だけを受信した場合、接続切り替え要求に対する応答である接続切り替え完了情報を無線移動端末１０５に送信する。なお、接続切り替え完了情報は、接続切り替え要求を承認する旨の承認情報の一例である。
【００３６】
図３は、無線移動端末１０５の構成例を示したブロック図である。図３において、無線移動端末１０５は、端末通信部１１と、測定部１２と、品質記憶部１３と、処理部１４とを含む。
【００３７】
端末通信部１１は、接続手段の一例である。端末通信部１１は、無線基地局１０２ないし１０４のいずれかと音声通信を行う。また、端末通信部１１は、無線基地局１０２ないし１０４から、応答パケット、拒否コード、接続候補情報および接続切り替え完了情報を受信する。
【００３８】
また、端末通信部１１は、接続切り替え完了情報を受信した場合、その接続切り替え完了情報を送信した無線基地局と接続する。
【００３９】
測定部１２は、端末通信部１１が音声通信の際に受信した信号に基づいて、接続している無線基地局との電波通信品質を測定する。測定部１２は、その測定した電波通信品質が予め定められた閾値以上か否かを判断する。
【００４０】
また、測定部１２は、端末通信部１１が応答パケットを受信すると、その応答パケットに基づいて、その応答パケットを送信した無線基地局との電波通信品質を測定する。
【００４１】
品質記憶部１３は、測定部１２が応答パケットに基づいて測定した電波通信品質を、その応答パケット内の識別情報ごとに対応付けた品質テーブルを記憶する。これにより、品質テーブルでは、各無線基地局との電波通信品質が識別情報ごとに対応付けられることとなる。
【００４２】
処理部１４は、測定部１２にて電波通信品質が閾値未満と判断されると、接続先の無線基地局を切り替える処理（ハンドオーバ）を開始する。
【００４３】
具体的には、先ず、処理部１４は、検索パケットを無線上に同報通信を用いて送信することで、検索パケットを周辺の無線基地局に送信する。そして、処理部１４は、検索パケットを送信してから所定時間が経過すると、品質記憶部１３内の品質テーブルに基づいて、切替無線基地局を選択する選択無線基地局を決定する。例えば、処理部１４は、その品質テーブル内の中で、最も良い電波通信品質に対応付けられた識別子にて特定される無線基地局を、選択無線基地局に決定する。
【００４４】
続いて、処理部１４は、その決定した選択無線基地局に、接続切り替え要求と品質テーブルとの組を送信する。ここで、処理部１４は、品質テーブルを検索結果情報として送信する。
【００４５】
また、処理部１４は、端末通信部１１が拒否コードおよび接続候補情報を受信した場合、その接続候補情報である識別情報にて特定される切替無線基地局に、端末通信部１１を介して接続切り替え要求を送信する。これにより、端末通信部１１は、拒否コードおよび接続候補情報を受信すると、接続切り替え要求を送信することになる。
【００４６】
次に動作を説明する。
【００４７】
図４は、本実施形態のマルチメディア無線通信システムの動作を説明するためのシーケンス図である。具体的には、ハンドオーバの際に実行される、マルチメディア無線通信システムの動作を説明するためのシーケンス図である。
【００４８】
なお、無線移動端末１０５は、無線基地局１０２との通信中であるとする。また、無線基地局１０３は、複数の無線移動端末１０６と通信中であるとし、無線基地局１０４は、無線移動端末との通信を行っていないものとする。このため、無線基地局１０３の使用帯域の使用量は高く、無線基地局１０４の使用帯域の使用量は低い。
【００４９】
先ず、無線移動端末１０５の測定部１２は、定期的に、端末通信部１１による音声通信における電波通信品質を測定する。測定部１２は、その電波通信品質が閾値以上か否かを判断する（ステップＩ）。
【００５０】
今、無線移動端末１０５は、無線基地局１０２との通信中に図１の矢印Ｘの方向に移動しているものとする。これにより、無線移動端末１０５は、無線基地局１０２から遠ざかるので、無線基地局１０２との電波通信品質が低下していく。
【００５１】
測定部１２は、電波通信品質が閾値未満になると、電波通信品質が閾値未満になったことを示す信号を処理部１４に送信する。処理部１４は、その信号を受信すると、検索パケットを生成し、その検索パケットを、端末通信部１１を介して無線上に同報通信を用いて送信する（ステップＪ）。
【００５２】
無線基地局１０２ないし１０４のそれぞれの基地局通信部３は、検索パケットを受信すると、その検索パケットを制御部４に送信する。制御部４は、検索パケットを受信すると、状態記憶部１から自識別情報を取得し、その自識別情報を含む応答パケットを生成する。制御部４は、その生成した応答パケットを、基地局通信部３を介して無線移動端末１０５の端末通信部１１に送信する（ステップＫ）。
【００５３】
端末通信部１１は、応答パケットを受信するたびに、その応答パケットを測定部１２に送信する。測定部１２は、応答パケットを受信するたびに、その応答パケットに基づいて、その応答パケット内の識別情報にて特定される無線基地局との電波通信品質を測定する。測定部１２は、その電波通信品質および識別情報を対応付けて品質記憶部１３内の品質テーブルに追加する。
【００５４】
また、処理部１４は、検索パケットを送信してから所定時間が経過すると、品質記憶部１３から品質テーブルを検索結果情報として取得し、その検索結果情報の中で最も良い電波通信品質を探す。処理部１４は、その最も良い電波通信品質に対応付けられた識別情報を検索結果情報から抽出する。
【００５５】
処理部１４は、その抽出した識別情報にて特定される無線基地局を選択無線基地局（以下、無線基地局１０３）として決定する。処理部１４は、接続切り替え要求を生成し、その接続切り替え要求および検索結果情報の組を、その決定した無線基地局１０３の基地局通信部３に端末通信部１１を介して送信する（ステップＬ）。
【００５６】
基地局通信部３は、接続切り替え要求および検索結果情報の組を受信すると、その接続切り替え要求および検索結果情報の組を制御部４に送信する。
【００５７】
制御部４は、その組を受信すると、状態記憶部１内の自使用量が予め定められた基準値以上か否を判断する。本実施形態では、無線基地局１０３の使用帯域は混雑しており、自使用量は基準値以上であるとする。
【００５８】
制御部４は、自使用量が基準値以上と判断すると、その検索結果情報と、状態記憶部１内の状態テーブルとに基づいて、切替無線基地局を選択する。本実施形態では、制御部４は、無線基地局１０３との電波通信品質が無線基地局１０４との電波通信品質より良くても、無線基地局１０４の使用帯域の使用量が無線基地局１０３の使用帯域の使用量より少ないことにより、無線基地局１０４を切替無線基地局として決定する。
【００５９】
制御部４は、無線基地局１０４を特定する識別情報を、状態記憶部１内の状態テーブルから接続候補情報として抽出する。制御部４は、拒否コードを生成し、その拒否コードおよび接続候補情報を、無線移動端末１０５の端末通信部１１に基地局通信部３を介して送信する（ステップＭ）。
【００６０】
端末通信部１１は、接続候補情報および拒否コードを受信すると、その接続候補情報および拒否コードを処理部１４に送信する。処理部１４は、接続候補情報および拒否コードを受信すると、接続切り替え要求を生成する。処理部１４は、その接続切り替え要求を、その接続候補情報にて特定される無線基地局１０４の基地局通信部３に送信する（ステップＮ）。
【００６１】
基地局通信部３は、接続切り替え要求を受信すると、その接続切り替え要求を制御部４に送信する。制御部４は、接続切り替え要求を受信すると、接続切り替え完了情報を生成し、その接続切り替え完了情報を、無線移動端末１０５の端末通信部１１に基地局通信部３を介して送信する（ステップＯ）。
【００６２】
端末通信部１１は、接続切り替え完了情報を受信すると、接続先の無線基地局を、無線基地局１０３から無線基地局１０４に切り替える。これにより、無線移動端末１０５と無線基地局１０４との音声通信が再開され、ハンドオーバが完了する。その後、無線移動端末１０５と無線基地局１０４とが音声通信を行う（ステップＰ）。
【００６３】
次に効果を説明する。
【００６４】
本実施形態では、品質記憶部１３は、各無線基地局との電波通信品質が識別情報ごとに対応付けられた品質テーブルを記憶する。処理部１４は、接続先の無線基地局を切り替える際に、品質記憶部１３内の品質テーブルに基づいて、切り替え後の接続先となる切替無線基地局を選択する選択無線基地局を決定する。処理部１４は、その決定した選択無線基地局に品質テーブルを送信する。端末通信部１１は、処理部１４が送信した品質テーブルに基づいて選択された切替無線基地局を特定する識別情報を受信し、その識別情報にて特定される切替無線基地局に接続要求を送信する。
【００６５】
この場合、切り替え後の接続先となる切替無線基地局を選択する選択無線基地局が、各無線基地局との電波通信品質が識別情報ごとに対応付けられた品質テーブルに基づいて決定される。
【００６６】
このため、電波通信品質が良い無線基地局に品質テーブル（検索結果情報）を送信することが可能になり、検索結果情報の送信から、切替無線基地局を特定する識別情報（接続候補情報）を受信までの間に通信が途切れることを軽減することが可能になる。したがって、無線基地局の切り替えに失敗することを少なくすることが可能になる。
【００６７】
また、本実施形態では、処理部１４は、品質テーブルの中で最も高い電波通信品質と対応付けられた識別情報にて特定される無線基地局を、選択無線基地局として決定する。この場合、最も電波通信品質が高い無線基地局が選択無線基地局として決定されるので、無線基地局の切り替えに失敗することをより少なくすることが可能になる。
【００６８】
また、本実施形態では、処理部１４は、選択無線基地局に品質テーブルと接続要求とを送信する。端末通信部１１は、識別情報と拒否コードとを受信した場合、切替無線基地局に接続要求を送信し、接続切り替え完了情報を受信した場合、選択無線基地局と接続する。
【００６９】
この場合、選択無線基地局が接続を承認した場合に、切替無線基地局に接続要求を送信することを防止することが可能になる。したがって、ハンドオーバが完了するまでの時間を短縮することが可能になる。
【００７０】
次に、第二の実施形態を説明する。
【００７１】
第一の実施形態では、無線移動端末１０５は、切り替え後の接続先の候補となる無線基地局１０４と接続したが、本実施形態では、無線基地局１０４が接続を拒否した場合について説明する。なお、無線基地局１０４が接続を拒否する例としては、無線基地局１０４が故障した場合や、無線基地局１０４における通信トラフィックが急増したことにより使用帯域の使用量が急増した場合などが挙げられる。
【００７２】
本実施形態では、端末通信部１１は、切替無線基地局に、接続切り替え要求と、品質テーブルとを送信する。
【００７３】
端末通信部１１は、その品質テーブルに応じて選択された新たな切替無線基地局の識別情報と、その接続要求を拒否する拒否情報とを切替無線基地局から受信した場合、その新たな切替無線基地局に接続要求を送信する。一方、端末通信部１１は、切替無線基地局に送信した接続要求に対する接続切り替え完了情報をその切替無線基地局から受信した場合、その切替無線基地局と接続する。
【００７４】
図５は、本実施形態のマルチメディア無線通信システムの動作を説明するためのシーケンス図である。なお、図５において図４と同じ処理には同じ符号を付し、その説明を省略する。
【００７５】
ステップＭで制御部４が拒否コードおよび接続候補情報を送信すると、以下の処理が実行される。
【００７６】
無線移動端末１０５の端末通信部１１は、接続候補情報および拒否コードを受信すると、その接続候補情報および拒否コードを処理部１４に送信する。処理部１４は、接続候補情報および拒否コードを受信すると、接続切り替え要求を生成と共に、品質記憶部１３から品質テーブルを検索結果情報として取得する。処理部１４は、その接続切り替え要求および検索結果情報の組を、その接続候補情報である識別情報にて特定される無線基地局１０４の基地局通信部３に端末通信部１１を介して送信する（ステップＮ’）。
【００７７】
これにより、端末通信部１１は、切替無線基地局に、前記接続要求と、品質記憶部１３内の品質テーブルとを送信することになる。
【００７８】
基地局通信部３は、接続切り替え要求および検索結果情報の組を受信すると、その接続切り替え要求および検索結果情報の組を制御部４に送信する。制御部４は、その組を受信すると、接続切り替え要求を拒否するか否かを判断する。
【００７９】
制御部４は、接続切り替え要求を承認すると、接続切り替え要求に対する応答である接続切り替え完了情報を生成する。制御部４は、その接続切り替え完了情報を、基地局通信部３を介して無線移動端末１０５の端末通信部１１に送信する（ステップＯ’）。その後、ステップＰが実行される。
【００８０】
一方、制御部４は、接続切り替え要求を拒否すると、その検索結果情報と、状態記憶部１内の状態テーブルとに基づいて、新たな切替無線基地局を選択する。制御部４は、その新たな無線基地局を特定する識別情報を、状態記憶部１内の状態テーブルから接続候補情報として抽出する。制御部４は、拒否コードを生成し、その拒否コードおよび接続候補情報を、無線移動端末１０５の端末通信部１１に基地局通信部３を介して送信する（ステップＯ’）。その後、ステップＮ’が実行される。
【００８１】
次に効果を説明する。
【００８２】
本実施形態では、端末通信部１１は、切替無線基地局に、接続切り替え要求と、品質テーブルとを送信する。端末通信部１１は、その品質テーブルに応じて選択された新たな切替無線基地局の識別情報と、その接続要求を拒否する拒否情報とを切替無線基地局から受信した場合、その新たな切替無線基地局に接続要求を送信する。一方、端末通信部１１は、切替無線基地局に送信した接続要求に対する接続切り替え完了情報をその切替無線基地局から受信した場合、その切替無線基地局と接続する。
【００８３】
この場合、切替無線基地局が接続を拒否した場合に、検索要求が送信されなくても、新たな切替無線基地局に接続要求を送信することが可能になる。したがって、新たな切替無線基地局を検索する時間を短縮することができるので、ハンドオーバが完了するまでの時間を短縮することが可能になる。
【００８４】
以上説明した各実施形態において、図示した構成は単なる一例であって、本発明はその構成に限定されるものではない。
【図面の簡単な説明】
【００８５】
【図１】本発明による第一の実施形態のマルチメディア無線通信システムを示したブロック図である。
【図２】無線基地局の構成例を示したブロック図である。
【図３】無線移動端末の構成例を示したブロック図である。
【図４】マルチメディア無線通信システムの動作例を説明するためのシーケンス図である。
【図５】マルチメディア無線通信システムの他の動作例を説明するためのシーケンス図である。
【図６】関連する技術の無線通信システムの動作を説明するためのシーケンス図である。
【符号の説明】
【００８６】
１          状態記憶部
２          状態管理部
３          基地局通信部
４          制御部
１１        端末通信部
１２        測定部
１３        品質記憶部
１４        処理部
１０１      呼接続サーバ
１０２〜１０４    無線基地局
１０５、１０６    無線移動端末
【図１】
0005011572.tif 000002
【図２】
0005011572.tif 000003
【図３】
0005011572.tif 000004
【図４】
0005011572.tif 000005
【図５】
0005011572.tif 000006
【図６】
0005011572.tif 000007